(57)【要約】【課題】ロール形ティッシュを確実にかつ容易に取り出すことができるロール形ティッシュ容器を提供する。【解決手段】有底容器１１と蓋１２とを接続して形成されかつロール形ティッシュ９０を収容可能な筒状の容器本体１０と、収容された前記ロール形ティッシュ９０を載置するための上面を具備しかつ前記容器本体１０の軸と同方向の回転軸Ｃの周りで回転自在に前記有底容器１１の底壁１１ｂ上に設けられたターンテーブル４２と、収容された前記ロール形ティッシュ９０の径方向外側のティッシュ端部９１ａを前記容器本体１０の外部に取り出すべく前記蓋１２の上壁１２ａの周縁近傍に穿設された取出し口１２ｃと、を備えたことを特徴とするロール形ティッシュ容器である。【選択図】図２
2014234217.tif 000002
【特許請求の範囲】
【請求項１】
有底容器（１１）と蓋（１２）とを接続して形成されかつロール形ティッシュ（９０）を収容可能な筒状の容器本体（１０）と、
収容された前記ロール形ティッシュ（９０）を載置するための上面を具備しかつ前記容器本体（１０）の軸と同方向の回転軸（Ｃ）の周りで回転自在に前記有底容器（１１）の底壁（１１ｂ）上に設けられたターンテーブル（４２）と、
収容された前記ロール形ティッシュ（９０）の径方向外側のティッシュ端部（９１ａ）を前記容器本体（１０）の外部に取り出すべく前記蓋（１２）の上壁（１２ａ）の周縁近傍に穿設された取出し口（１２ｃ）と、を備えたことを特徴とする
ロール形ティッシュ容器。
【請求項２】
収容された前記ロール形ティッシュ（９０）に含浸させる液体（Ｗ）を充填するための液体容器（３２）と前記液体容器（３２）内の液体（Ｗ）を吸引して噴射するためのポンプ（３１）とを具備しかつ前記容器本体（１０）内に設けられたスプレー容器（３０）と、
前記液体（Ｗ）を噴射するべく前記ポンプ（３１）を前記容器本体（１０）の外部から手動操作するためのポンプ操作部材（２１）と、をさらに備えたことを特徴とする
請求項１に記載のロール形ティッシュ容器。
【請求項３】
前記スプレー容器（３０）の前記液体容器（３２）は、収容された前記ロール形ティッシュ（９０）のロール軸の周囲の円筒空間内に配置され、
前記スプレー容器（３０）の前記ポンプ（３１）の噴射口（３１ｇ）は、収容された前記ロール形ティッシュ（９０）の上方に配置されることを特徴とする
請求項２に記載のロール形ティッシュ容器。
【請求項４】
前記ポンプ操作部材（２１）は、前記蓋（１２）の上壁（１２ａ）の中央を貫通する棒状部（２１ｂ）と、前記棒状部（２１ｂ）の上端に形成された平板状の操作部（２１ｃ）と、前記棒状部（２１ｃ）の下端に形成され前記ポンプ（３１）のピストン頂部（３１ａ）に当接する押下面（２１ａ）とを具備することを特徴とする請求項２又は３に記載のロール形ティッシュ容器。
【請求項５】
前記液体容器（３２Ａ）は、その外面上に、周方向に均等に配置された複数の凸部（３２ｃ）又は環状凸部（３２ｃ’）を具備し、前記複数の凸部（３２ｃ）又は環状凸部（３２ｃ’）は、収容された前記ロール形ティッシュ（９０）の径方向内側の面に対して当接可能であることを特徴とする請求項２〜４のいずれかに記載のロール形ティッシュ容器。
【請求項６】
前記ターンテーブル（４２）の下面は、回転中心である１点のみにて下方から支持されるとともに、前記ターンテーブル（４２）の上面は、回転中心を含む所定の領域を上方から弾性的に押圧されていることを特徴とする請求項１〜５のいずれかに記載のロール形ティッシュ容器。
【請求項７】
前記ターンテーブル（４２Ａ）の上面に形成された溝（４２ｃ）内に嵌め込まれかつ前記ロール形ティッシュ（９０）の下面に接触可能な液体吸収材（５１）を備え、前記液体吸収材（５１）の少なくとも一端は、前記ターンテーブル（４２）の周縁から前記有底容器（１１）の底壁周縁（１１ｃ）まで垂れ下がることを特徴とする
請求項１〜６のいずれかに記載のロール形ティッシュ容器。
【請求項８】
請求項３に記載のロール形ティッシュ容器に収容されるロール形ティッシュ（９０Ａ）であって、ティッシュ材（９１）を巻かれた円筒状のロール芯（９２）を具備し、前記ロール芯（９２）の内面上に、周方向に均等に配置された複数の凸部（９２ａ）又は環状凸部を具備し、前記複数の凸部（９２ａ）又は環状凸部は、前記液体容器（３２）の外面に対して当接可能であることを特徴とするロール形ティッシュ。
【請求項９】
請求項１〜７のいずれかに記載のロール形ティッシュ容器と、前記ロール形ティッシュ容器内に収容されたロール形ティッシュと、を備えたロール形ティッシュ製品。
【発明の詳細な説明】
【技術分野】
【０００１】
本発明は、ティッシュ材を巻いて形成したロール形状のティッシュ（以下「ロール形ティッシュ」と称する）を収容するためのロール形ティッシュ容器、当該容器に収容するロール形ティッシュ、及び、当該容器にロール形ティッシュを収容したロール形ティッシュ製品に関する。
【背景技術】
【０００２】
従来、不織布に水、エタノール等の所定の液体が含浸され除菌や清掃等に用いられるウェットティッシュが知られている。特に、ロール形状のウェットティッシュ（以下「ロール形ウェットティッシュ」と称する）は、一般的に、密閉可能な縦型の筒状容器に収容された形態で販売されている（例えば、特許文献１）。（ここで「縦型」とは容器の軸が鉛直に配置されることを意味する。）通常、筒状容器の蓋の中央に取出し口が形成されている。ロール形ウェットティッシュを円筒容器から取り出す場合、先ずそのロールの径方向内側のティッシュ端部を取出し口に通して筒状容器の外側から引き出す。このようなロール形ウェットティッシュには、所定の間隔で切離線（長手方向に対して垂直に形成された部分的な切れ目）が予め形成されている。ティッシュ端部を引き出したときの取出し口における摩擦抵抗力により切離線にてティッシュが切断されることで、所定の長さの１枚のティッシュ片が得られる。このとき、取出し口からは、次のティッシュ片の端部が僅かだけ露出した状態となっている。次回には、この僅かだけ露出したティッシュ端部を指で摘んで引き出すことになる。
【０００３】
特許文献１のような筒状容器に収容されたロール形ウェットティッシュは簡単に持ち運べるので、必要に応じて配置場所や使用場所を容易に変更できる。一方、特許文献２のように、ロール形ウェットティッシュの軸を水平方向にして収容するペーパーホルダーも知られているが、このようなペーパーホルダーは壁に固定する必要があるため使用場所が特定されるため、特許文献１の縦型筒状容器のように使用場所を容易に変更することはできない。
【先行技術文献】
【特許文献】
【０００４】
【特許文献１】特開２００５−５３５２９号公報
【特許文献２】特開２０１１−１６７３３５号公報
【発明の概要】
【発明が解決しようとする課題】
【０００５】
しかしながら、縦型の筒状容器に収容したロール形ウェットティッシュにも、次のような問題点がある。
まず、次回取り出し用に僅かに露出したティッシュ端部は摩擦抵抗力により取出し口に係止されているが、ティッシュ端部が短すぎたり、物体との接触や振動があったりといった何らかの原因でティッシュ端部が容器内に落ち込んでしまうことが頻繁に発生する。これは、例えば、収容されているロール形ウェットティッシュからの抵抗力が大きすぎてティッシュ端部が必要な長さだけ露出させられなかったり、そのような抵抗力により取出し口が引っ張られ損傷して開口が大きくなったりしていることに起因する。ティッシュ端部が落ち込んでしまった場合は、筒状容器の蓋を外して再度ティッシュ端部を取出し口に通す作業を行う必要がある。
【０００６】
筒状容器に収容されたロール形ウェットティッシュは、介護分野において多用されているが、ビニル手袋を装着した手で蓋を外してティッシュ端部の取り出し作業を行うことは煩雑であると同時に、容器内にある使用前のウェットティッシュが汚染される虞もある。
【０００７】
さらに、ロール形ウェットティッシュは、当然ながら、所定の液体を含浸させた状態の完成品として製造され、流通販売されている。特に、消毒や除菌のためにエタノールを含むものが多いが、高齢者や乳幼児などの皮膚が弱い利用者には刺激が強すぎて皮膚のトラブルを引き起こすことが多々ある。また、添加物である防腐剤や皮膚のための保湿剤等が、皮膚に合わない利用者もいる。
【０００８】
以上の現状に鑑み、本発明は、ロール形ティッシュの次回取り出し用のティッシュ端部が取出し口から容器内に落ち込むことがなく、確実にかつ容易に取り出すことができるロール形ティッシュ容器及びその製品を提供することを目的とする。
さらに本発明は、容器に収容した乾燥状態のロール形ティッシュに対して利用者が所望する液体を含浸させ濡れた状態としてから使用することが可能なロール形ティッシュ容器及びその製品を提供することを目的とする。
【課題を解決するための手段】
【０００９】
上記の目的と達成するために本発明は、以下の構成を提供する。なお、括弧内の数字は、後述する図面中の符号であり、参考のために付するものである。
【００１０】
本発明の一態様は、ロール形ティッシュ容器であって、有底容器（１１）と蓋（１２）とを接続して形成されかつロール形ティッシュ（９０）を収容可能な筒状の容器本体（１０）と、
収容された前記ロール形ティッシュ（９０）を載置するための上面を具備しかつ前記容器本体（１０）の軸と同方向の回転軸（Ｃ）の周りで回転自在に前記有底容器（１１）の底壁（１１ｂ）上に設けられたターンテーブル（４２）と、
収容された前記ロール形ティッシュ（９０）の径方向外側のティッシュ端部（９１ａ）を前記容器本体（１０）の外部に取り出すべく前記蓋（１２）の上壁（１２ａ）の周縁近傍に穿設された取出し口（１２ｃ）と、を備えたことを特徴とする。
【００１１】
上記態様において、収容された前記ロール形ティッシュ（９０）に含浸させる液体（Ｗ）を充填するための液体容器（３２）と前記液体容器（３２）内の液体（Ｗ）を吸引して噴射するためのポンプ（３１）とを具備しかつ前記容器本体（１０）内に設けられたスプレー容器（３０）と、前記液体（Ｗ）を噴射するべく前記ポンプ（３１）を前記容器本体（１０）の外部から手動操作するためのポンプ操作部材（２１）と、をさらに備えることが好適である。
【００１２】
上記態様において、前記スプレー容器（３０）の前記液体容器（３２）は、収容された前記ロール形ティッシュ（９０）のロール軸の周囲の円筒空間内に配置され、前記スプレー容器（３０）の前記ポンプ（３１）の噴射口（３１ｇ）は、収容された前記ロール形ティッシュ（９０）の上方に配置されることが、好適である。
【００１３】
上記態様において、前記ポンプ操作部材（２１）は、前記蓋（１２）の上壁（１２ａ）の中央を貫通する棒状部（２１ｂ）と、前記棒状部（２１ｂ）の上端に形成された平板状の操作部（２１ｃ）と、前記棒状部（２１ｃ）の下端に形成され前記ポンプ（３１）のピストン頂部（３１ａ）に当接する押下面（２１ａ）とを具備することが、好適である。
【００１４】
上記態様において、前記液体容器（３２Ａ）は、その外面上に、周方向に均等に配置された複数の凸部（３２ｃ）又は環状凸部（３２ｃ’）を具備し、前記複数の凸部（３２ｃ）又は環状凸部（３２ｃ’）は、収容された前記ロール形ティッシュ（９０）の径方向内側の面に対して当接可能であることが、好適である。
【００１５】
上記態様において、前記ターンテーブル（４２）の下面は、回転中心である１点のみにて下方から支持されるとともに、前記ターンテーブル（４２）の上面は、回転中心を含む所定の領域を上方から弾性的に押圧されていることが、好適である。
【００１６】
上記態様において、前記ターンテーブル（４２Ａ）の上面に形成された溝（４２ｃ）内に嵌め込まれかつ前記ロール形ティッシュ（９０）の下面に接触可能な液体吸収材（５１）を備え、前記液体吸収材（５１）の少なくとも一端は、前記ターンテーブル（４２）の周縁から前記有底容器（１１）の底壁周縁（１１ｃ）まで垂れ下がることが、好適である。
【００１７】
本発明の別の態様は、上記のロール形ティッシュ容器に収容されるロール形ティッシュ（９０Ａ）であって、ティッシュ（９１）を巻かれた円筒状のロール芯（９２）を具備し、前記ロール芯（９２）の内面上に、周方向に均等に配置された複数の凸部（９２ａ）又は環状凸部を具備し、前記複数の凸部（９２ａ）又は環状凸部は、前記液体容器（３２）の外面に対して当接可能であることを特徴とする。
【発明の効果】
【００１８】
本発明の第１の特徴（請求項１）によれば、ロール形ティッシュを小さい力で確実にかつ容易に取り出すことができ、また、次回取り出し用のティッシュ端部が取出し口から落ち込んでしまう問題を解消できる。
【００１９】
従来のロール形ティッシュ容器ではロール形ティッシュの径方向内側のティッシュ端部を蓋の上壁の中央の取出し口から引き出していたのに対し、本発明のロール形ティッシュ容器では、ロール形ティッシュの径方向外側のティッシュ端部を蓋の上壁の周縁近傍の取出し口から引き出すこととした。巻かれたティッシュを径方向外側のティッシュ端部から解していく場合、径方向内側のティッシュ端部から解していく場合に比べて抵抗が少なく、小さい力で解すことが可能である。さらに、本発明では、回転自在なターンテーブルの上にロール形ティッシュを載置したことにより、より小さい力でロール形ティッシュを解すことが可能となる。
【００２０】
このことは、本発明のロール形ティッシュ容器では取出し口に無理な負荷が掛からないことを意味する。これに対し、従来のように径方向内側からティッシュ端部を取り出す場合、ティッシュをロールから解すときの抵抗力が大きいために、取出し口がティッシュを介してロール形ティッシュの方に引っ張られ、取出し口が損傷して開口が拡がり、その結果、次回取り出し用のティッシュ端部が取出し口から落ち込み易くなっていた。
【００２１】
また、従来のように径方向内側からティッシュ端部を取り出す場合、ロール形ティッシュの最終段階に近づくにつれて、ロールの内側に大きな空洞が形成されて不安定な形状となり、円滑な取り出しができなくなることもあった。本発明のように径方向外側からティッシュ端部を取り出す場合は、ロール形ティッシュの最終段階に近づいてもロールの形状が安定に維持されるので、最後まで円滑に取り出すことができる。
【００２２】
またさらに本発明では、取出し口を蓋の上壁の周縁近傍に設けたことにより、ロール形ティッシュの径方向外側からの取り出しを円滑に行うことができる。
【００２３】
なお、本発明の第１の特徴は、製造され流通販売される製品において容器に収容されているロール形ティッシュが乾燥状態であっても液体含浸状態であっても適用可能である。
【００２４】
本発明の第２の特徴（請求項２）によれば、ロール形ティッシュ容器に乾燥状態のロール形ティッシュを収容し、容器内で任意の液体を噴射してロール形ティッシュに含浸させることができる。製造及び流通販売の段階ではロール形ティッシュは乾燥状態で密閉容器の中に収容されているので、この段階で汚染がされる虞はなく、防腐剤は不要である。
【００２５】
容器内のロール形ティッシュは、利用者が製品の包装を開封して使用を開始する際に初めて液体で含浸させられてウェットティッシュの状態となる。利用者は、ロール形ティッシュ容器内に装填されているスプレー容器を取り出し、その液体容器に、利用者の所望する液体（例えば好みのアロマオイルを添加した水など）、利用者の皮膚に適した液体（温泉水や天然水など）、又は利用者の皮膚の治療用の液体（例えば薬剤を溶かした水など）等を適宜充填した後、スプレー容器を再装填し、容器を密閉した後、ポンプ操作部材の操作部を押して容器内で液体を噴射させ、ロール形ティッシュに含浸させる。なお、介護等では、ポンプ操作を行う者と、実際にティッシュを皮膚に適用される者が異なる場合もある。
【００２６】
また、ロール形ティッシュのみでなく、液体も容易に詰め替えることができるので、多様な用途に使用できる。
【図面の簡単な説明】
【００２７】
【図１】図１は、本発明に係るロール形ティッシュ容器の一例の概略的な外観斜視図である。
【図２】図２は、図１に示したロール形ティッシュ容器の概略的な縦断面図であり、スプレーポンプのピストンが上昇した状態を示す図である。
【図３】図３は、図１に示したロール形ティッシュ容器の概略的な縦断面図であり、スプレーポンプのピストンを押し下げた状態を示す図である。
【図４】図４は、ポンプのピストン頂部とポンプ操作部材の当接部分の好適例を示した図である。
【図５】図５は、容器本体の下側の有底容器及びその底壁近傍の構成を示す図である。
【図６】図６は、ターンテーブルの別の構成例を示した図であり、（ａ）は部分的な拡大断面図であり（ｂ）は（ａ）のＢ断面図である。
【図７】図７は、ロール形ティッシュの別の構成例を示した図であり、（ａ）はロール形ティッシュを収容した状態の部分的な拡大断面図であり、（ｂ）はロール形ティッシュの平面図である。
【図８】図８は、スプレー容器の液体容器の別の構成例を示した図であり、（ａ）（ｂ）はそれぞれ異なるタイプのロール形ティッシュと組み合わせた状態の部分的な拡大断面図であり、（ｃ）は液体容器の平面図であり、（ｄ）は液体容器のさらに別の構成例の平面図である。
【図９】図９は、上述したロール形ティッシュ製品において、スプレー容器に液体を充填する工程の一例を模式的に示した図である。
【発明を実施するための形態】
【００２８】
以下、一例を示した図面を参照して本発明の実施の形態を説明する。
図１は、本発明に係るロール形ティッシュ容器の一例を示した概略的な外観斜視図である。
【００２９】
ロール形ティッシュ容器１は、ロール形ティッシュ９０を収容するための密閉された容器本体１０を備え、その内部にも特徴的な構成を備えている。図１では、容器本体１０の外観形状のみを示しており、内部の構成については一部のみを点線で示している。また、内部に収容したロール形ティッシュ９０も点線で示し、使用時にティッシュ端部９１ａを取り出す様子を示している。通常は、図１に示すようにロール形ティッシュ容器１にロール形ティッシュ９０を収容した状態の「ロール形ティッシュ製品」として製造され、流通販売される。本発明の基本形態においては、容器本体１０に収容されたロール形ティッシュ９０は、使用開始前には液体を含浸されておらず乾燥状態である。本明細書における「含浸」とは、液体をティッシュに対して噴霧状態で供給してティッシュの繊維の隙間に液体をしみ込ませ、ティッシュを濡れた状態とすることをいう。
【００３０】
ロール形ティッシュ容器１の容器本体１０は、下側の有底容器１１と上側の蓋１２から構成される。有底容器１１は底壁と側壁を有し上面が開口しており、蓋１２は上壁１２ａと側壁１２ｂを有し下面が開口している。これらを適宜の接続手段で接続固定すると、容器本体１０の内部には密閉された縦型の筒状空間Ｓが形成される。容器本体１０は、典型的には図示のような略円柱形であるが、略角柱形でもよい。容器本体１０の材質は一般的にはプラスチックである。
【００３１】
有底容器１１の底壁上には、ターンテーブル４２が設けられている。ターンテーブル４２の上面にロール形ティッシュ９０が載置される。典型的には円形であるターンテーブル４２は、その中心に位置する回転軸Ｃの周りで回転自在である。回転軸Ｃは、筒状空間Ｓの軸と同方向である。これにより、ターンテーブル４２上に載置されたロール形ティッシュ９０も回転自在となる。ロール形ティッシュ９０を載置する際は、そのロール軸がターンテーブル４２の回転軸Ｃと一致するように載置することが好ましい。
【００３２】
図１のロール形ティッシュ９０は、ロール芯９２と、ロール芯９２上に巻かれたティッシュ材９１とから構成されている。なお、別の例としてロール形ティッシュ９０は、ロール芯９２が無く、巻かれたティッシュ材９１のみで構成されていてもよい。ティッシュ材９１は、好適には、従来のウェットティッシュに使用されるティッシュ材と同様のものである。例えば、合繊繊維をシート状にした厚手で柔らかい風合いの難水溶性の不織布が好適である。
【００３３】
ロール形ティッシュ９０は、図示のように径方向外側のティッシュ端部９１ａを外部に取り出される。このために、蓋１２の上壁１２ａの周縁近傍に１つの取出し口１２ｃが穿設されている。「周縁近傍」とは、上壁１２ａの中心と周縁を結ぶ線上において中心よりも周縁に近い位置を意味する。取出し口１２ｃから外部に露出したティッシュ端部９１ａを引っ張ると、ティッシュ材９１が上方に引き上げられ、ロール形ティッシュ９０がターンテーブル４２とともに回転する。ターンテーブル４２に載置されているので、ロール形ティッシュ９０は、全く抵抗なく回転することができる。
【００３４】
ティッシュ材９１には、所定の間隔で切離線９１ｂが予め形成されている。切離線９１ｂの部分が取出し口１２ｃから出た直後に、ティッシュ材９１と取出し口１２ｃの間の摩擦抵抗力により切離線９１ｂの部分で切り離される。こうして、１枚の四角形のティッシュ片が得られるとともに、次回取り出し用のティッシュ端部９１ａが取出し口１２ｃから僅かに露出した状態となる。使用しないときは、容器本体１０の密閉性を保つために取出し口１２ｃのカバー１２ｄを閉じておく。
【００３５】
取出し口１２ｃの開口形状は、図示のような十字形切り込みが一般的であるが、ティッシュ材９１の取り出し、切り離し、及び次回の取り出し端部の保持が確実にできる形状であればこれに限られない。
【００３６】
容器本体１０の蓋１２の上壁１２ａの中央には、ポンプ操作部材２１の一部が突出している。ポンプ操作部材２１は、上壁１２ａの中央に嵌め込まれた筒状のガイド部材２２を貫通しており、上下方向に動くことが可能である。ポンプ操作部材２１の機能については、図２、図３において詳細に説明する。
【００３７】
図２及び図３は、図１に示したロール形ティッシュ容器１の概略的な縦断面図である。図２は、ロール形ティッシュ容器１の内部に設けたスプレー容器３０のポンプのピストンが上昇した状態を示し、図３はピストンを押し下げた状態を示す。
【００３８】
本発明の基本形態では、ロール形ティッシュ容器１内に収容されたロール形ティッシュ９０は乾燥状態であり、製品を初めて使用する際にロール形ティッシュ容器１内に装填されたスプレー容器３０を用いて所望する液体をロール形ティッシュ９０に噴射して液体を含浸させる。液体を含浸させることによりティッシュ材９１が濡れた状態、いわゆるウェットティッシュの状態となる。
【００３９】
スプレー容器３０は、ロール形ティッシュ９０に含浸させる液体Ｗを充填するための液体容器３２と、液体容器３２内の液体Ｗを吸引してロール形ティッシュ９０に噴射するためのポンプ３１とから構成されている。好適例では、スプレー容器３０の液体容器３２は、ロール形ティッシュ９０のロール軸の周囲に存在する円筒空間内に設置されている。一般的にロール形ティッシュ９０では、ロール芯９２の有無に関わらず、ロール軸の周囲にこのような円筒空間が形成されているので、液体容器３２をこの円筒空間に挿入することで全体をコンパクトにすることができる。また、スプレー容器３０は、ロール形ティッシュ９０の中心軸を固定する役割も果たす。
【００４０】
スプレー容器３０自体は、公知の一般的な液体噴射用スプレー容器でよく、図２及び図３では、その原理的構成の一例を示している。液体容器３２の上面開口の接続固定部３２ａと、ポンプ３１のシリンダ壁３１ｊの上端部の接続固定部３１ｎを適宜の接続手段で接続固定することで、液体容器３２を密閉するとともに、液体容器３２にポンプ３１が装着される。
【００４１】
ポンプ３１は、ピストンとシリンダから構成されている。ピストンは、シリンダの上部に突出しているピストン頂部３１ａと、シリンダの上壁を貫通してシリンダ内に延びるピストンロッド３１ｂと、ピストンロッド３１ｂの下端に形成されたピストンヘッド３１ｃとを具備する。シリンダは、シリンダ壁３１ｊ内の空間がピストン室隔壁３１ｋによって下側のピストン室３１Ｌと上側の弾性材室３１ｍに仕切られている。
【００４２】
ピストンヘッド３１ｃは、ピストン室３１Ｌ内を上下移動する。ピストンヘッド３１ｃの下面には吐出バルブ孔３１ｄが開口し、吐出バルブ球３１ｅが装填されている。吐出バルブ孔３１ｄは、ピストンロッド３１ｂの内部に形成された液体の吐出流路３１ｆと連通している。吐出流路３１ｆのもう一方の端部は、ピストン頂部３１ａに設けられた噴射口３１ｇに開口している。噴射口３１ｇは、ロール形ティッシュ９０よりも上方に位置するように配置されている。
【００４３】
ピストン室３１Ｌの底面から下方に延びる吸引流路は、吸引バルブ孔３１ｏに開口し、吸引バルブ球３１ｐが装填されている。吸引バルブ孔３１ｏの下方に吸引チューブ３１ｒが接続され、その下端は液体容器３２の底壁まで延びている。
【００４４】
弾性材室３１ｍ内には、典型的にはコイルバネである弾性材３１ｑが収容されている。弾性材３１ｑの下端はピストン室隔壁３１ｋにより支持され、弾性材３１ｑの上端はピストンロッド３１ｂから突出した弾性材上端支持部３１ｈにより支持されている。弾性材３１ｑは、ピストンの復帰バネとして機能する。図２のピストンの上昇状態からピストンを押し下げて図３の状態になると弾性材３１ｑが圧縮されるが、押し下げる力を解放すると弾性材３１ｑの弾性復帰力により、ピストンは図２の上昇状態に戻る。
【００４５】
図２は、ピストンが上昇した直後の状態であり、吸引バルブ孔３１ｏが開き、液体Ｗが吸引されてピストン室３１Ｌ内に充填されている。吐出バルブ孔３１ｄは閉じている。次に、ピストンを図３の状態まで押し下げると、その押し下げ過程においてピストン室３１Ｌ内の液体Ｗは、開いた吐出バルブ孔３１ｄを通り、吐出流路３１ｆを経て噴射口３１ｇから噴射される。これにより、液体Ｗが、ロール形ティッシュ９０のティッシュ材９１に浸透する。ロール形ティッシュ９０は、ティッシュ材９１が取り出される度に回転して位置が変わるので、噴射を適宜の回数繰り返すことによりティッシュ材９１全体に液体Ｗを含浸させることができる。
【００４６】
ロール形ティッシュ容器１の内部に設けられたスプレー容器３０のポンプ３１のピストンは、外部から直接操作することができない。このためにポンプ操作部材２１が設けられている。ポンプ操作部材２１は、蓋１２の上壁１２ａの中央を貫通する棒状部２１ｂと、棒状部２１ｂの上端に形成された平板状の操作部２１ｃとを具備する。棒状部２１ｂの下端には、ポンプ３１のピストン頂部３１ａの上面３１ｉに当接する押下面２１ａが形成されている。
【００４７】
ここで、図４を参照する。図４は、ポンプ３１のピストン頂部３１ａとポンプ操作部材２１の当接部分の好適例を示した図である。（ａ）はポンプ操作部材２１の側面図、（ｂ）はポンプ操作部材２１の底面図、（ｃ）はポンプ３１の平面図、（ｄ）はポンプ３１の側面図である。
【００４８】
図４に示すように、ポンプ操作部材２１の押下面２１ａは四角錐の凸面として形成され、一方、ポンプ頂部３１ａの上面３１ｉは四角錐の凹面として形成されている。双方の四角錐の凸面と凹面は嵌合する。これにより、ポンプ押し下げ部材２１とポンプ３１のピストンの中心軸が一致し固定され、横方向にずれることがなく、押し下げる力を確実に伝達することができる。この例では、軸周りの回転も阻止されるので、より安定に押し下げ操作を行うことができる。なお、四角錐の凸面と凹面は、双方の部材の中心軸を一致させる形状の一例であり、これに限られない。
【００４９】
再び図２及び図３を参照する。図２のピストン最上位置の状態は、弾性材３１ｑが最も長くなった状態である。好適例では、ピストン最上位置における弾性材３１ｑが、完全な開放状態ではなく、所定の長さだけ圧縮された状態を保持している。すなわち、図２の状態においても、弾性材３１ｑが所定の弾性復帰力を発揮するように設定されている。このような設定は、図示の例では、ピストン頂部３１ａの上限位置をガイド部材２２の下端で規定することにより行っている。つまり、ピストン頂部３１ａは、ガイド部材２２の下端で規定された位置より上方へは移動できない。これにより、弾性材３１ｑの長さの上限が規定される。
【００５０】
そして、図２の状態で弾性材３１ｑが発揮する弾性復帰力は、ピストン室隔壁３１ｋ、シリンダ壁３１ｊ、接合固定部３１ｎ、接合固定部３２ａ、液体容器３２を介して、液体容器支持部材４３に伝達され、これを下方に押圧することとなる。液体容器支持部材４３は、ターンテーブル４２の上面中央に配置されている。従って、弾性材３１ｑの弾性復帰力は、最終的にターンテーブル４２の上面中央領域に対する押圧力として働くことになる。一方、ターンテーブル４２の下面は、有底容器１１の底壁１１ｂの中央に配置されたターンテーブル支持部材４１によって支持されている。
【００５１】
このように、ターンテーブル４２の下面は、回転中心の１点（図６の拡大断面図の符号４１ａ参照）のみで支持されているが、上面中央領域（回点軸Ｃを中心とする所定の範囲）を上方から押圧されることにより、ターンテーブル４２は水平な姿勢を安定に保持することが可能となる。この機構は、構成が簡易である点で好ましい。
【００５２】
なお、図示の例ではターンテーブル４２の上面中央領域に対する押圧力として、ピストンの復帰バネを利用したが、これに限られず多様な形態が可能である。
【００５３】
図５は、容器本体１０の下側の有底容器１１及びその底壁近傍の構成を示す図である。（ａ）は有底容器１１の側面図、（ｂ）は有底容器１１の展開断面図、（ｃ）は（ａ）のＡ断面図、（ｄ）はターンテーブルの底面図である。
【００５４】
図５（ａ）に示すように、有底容器１１の底壁１１ｂはほぼ平坦であるが、載置した際の安定性を確保するために、底壁１１ｂの周縁１１ｃの部分を外側に突出させて脚部としての機能をもたせている。この結果として、有底容器１１の内側では、周縁１１ｃの部分が円周状の凹部となる。
【００５５】
図５（ｂ）の展開断面図に示すように、有底容器１１の内部には、底壁１１ｂ上にターンテーブル４２が設けられる。底壁１１ｂの中央に形成した凹部１１ｄにターンテーブル支持部材４１が載置される。ターンテーブル支持部材４１の上部は底壁１１ｂから突出し、ターンテーブル４２の下面中央に形成した凹部４２ｂに当接する。後述する図６（ａ）の拡大図を参照すると、ターンテーブル支持部材４１の頂点４１ａは、ターンテーブル４２の下面の回転中心である１点のみを支持している。さらに、ターンテーブル４２の上面中央にも凹部４２ａが形成されており、液体容器支持部材４３が載置される。上述した通り、液体容器支持部材４３の下面は、ターンテーブル４２の上面の回転中心を含む所定の領域に対して弾性的な押圧力を及ぼしている。図６（ａ）の拡大図に示すように、液体容器支持部材４３の頂点４３ａもまた、液体容器３２の底面３２ｂに形成された凹部の中心である１点のみを支持することが好適である。これにより、回転軸Ｃを横方向にずらさずに安定させることができる。
【００５６】
図５（ｃ）（ｄ）に示すように、好適例におけるターンテーブル４２ｈの周縁は円周状である。ターンテーブル４２の周縁と有底容器１１の内面との間には、回転の支障とならない程度に所定の間隙が設けられる。
【００５７】
図６は、ターンテーブルの別の構成例を示した図であり、（ａ）は部分的な拡大断面図であり、（ｂ）は（ａ）のＢ断面図である。
【００５８】
ロール形ティッシュ（図示を省略）に液体Ｗを噴射したとき、容器本体内面に当たってそのまま降下した液体Ｗや余剰の液体Ｗがあると、有底容器１１の底壁１１ｂの周縁１１ｃの窪みに溜まることになる。図６の構成例では、ターンテーブル４２Ａの上面に溝４２ｃを穿設し、その中に液体吸収材５１を嵌め込んでいる。溝４２ｃに嵌め込まれた液体吸収材５１の上面は、載置されるロール形ティッシュの下面に接触可能な程度に突出している。液体吸収材５１はターンテーブル４２Ａの中央近傍から周縁まで延在し、その一端５１ａが周縁から垂れ下がり、底壁１１ｂの周縁１１ｃに溜まった液体Ｗの中に浸されている。
【００５９】
液体吸収材５１は、例えば繊維を紐状に成形したものであり、毛細管現象により液体を良好に吸収し通過させることができる。よって液体吸収材５１は、周縁１１ｃに溜まった液体Ｗを吸収して、ターンテーブル４２Ａ上に戻すことができる。そして、液体吸収材５１と接触しているロール形ティッシュに液体Ｗが移動する。この結果、液体Ｗを無駄なく利用することができる。なお、液体吸収材５１の位置や数は、図示の例に限られない。
【００６０】
図７は、ロール形ティッシュの別の構成例を示した図であり、（ａ）はスプレー容器と組み合わせた状態の部分的な拡大断面図であり、（ｂ）はロール形ティッシュの平面図である。
【００６１】
上述した構成例では、スプレー容器３０の液体容器３２は、ロール形ティッシュのロール軸の周囲の円筒空間内に配置される。このとき、ロール形ティッシュの径方向内側の面と液体容器３２の外面の間の間隙が大きすぎると、液体容器及びロール形ティッシュの双方が定位置に固定されない虞がある。その対応策として、図７（ａ）（ｂ）に示したロール形ティッシュ９０Ａは、ロール芯９２の内面上に、周方向に均等に配置された複数の凸部９２ａを形成されている。これらの凸部９２ａは、液体容器３２の外面に当接可能である。凸部９２ａの突出高さは、液体容器３２を円滑に出し入れできる程度に設定する。凸部９２ａの外面を滑らかな曲面とすることにより、ロール形ティッシュ９０Ａの回転において摩擦抵抗を生じないようにする。凸部９２ａの数は、３つ以上であればよい。また、図示しないが、複数の凸部９２ａに替えて全周に亘って形成した環状凸部でもよい。
【００６２】
図８は、スプレー容器の液体容器の別の構成例を示した図であり、（ａ）（ｂ）はそれぞれ異なるタイプのロール形ティッシュと組み合わせた状態の部分的な拡大断面図であり、（ｃ）は液体容器の平面図であり、（ｄ）は液体容器のさらに別の構成例の平面図である。
【００６３】
図８に示した別構成の液体容器３２Ａは、図７に示したロール形ティッシュ９０Ａと同じ目的のものであり、液体容器とロール形ティッシュの双方を安定に配置するためのものである。図８（ａ）（ｂ）（ｃ）に示した液体容器３２Ａは、その外面上に、周方向に均等に配置された複数の凸部３２ｃを形成されている。図８（ａ）は、液体容器３２Ａを、ロール芯９２を有するロール形ティッシュ９０と組み合わせた例であり、図８（ｂ）は、ロール芯の無いロール形ティッシュ９０Ｂと組み合わせた例である。凸部３２ｃの数は、３つ以上であればよい。また、複数の凸部３２ｃに替えて、図８（ｄ）に示すように全周に亘って環状凸部３２ｃ’を形成した液体容器３２Ｂとしてもよい。
【００６４】
図９は、上述したロール形ティッシュ製品において、スプレー容器に液体を充填する工程の一例を模式的に示した図である。
【００６５】
ロール形ティッシュ製品を初めて使用する時、又は、使用中に液体を使い尽くして補充する時、ロール形ティッシュ容器を分解してスプレー容器を取り出し液体を充填する必要がある。
【００６６】
先ず、図９（ａ）に示すように、容器本体の有底容器１１と蓋１２を分離する。接続固定部１１ａと１２ｅの接続手段は、例えば螺合又は凹凸嵌合など容易に着脱可能な周知のものである。次に、図９（ｂ）に示すように、スプレー容器３０を取り出す。さらに、図９（ｃ）に示すようにスプレー容器３０のポンプ３１と液体容器３２を分離する。接続固定部３１ｎと３２ａの接続手段は、例えば、例えば螺合又は凹凸嵌合など容易に着脱可能な周知のものであるが、液体が漏出しないように密閉性を確保できるものとする。続いて、図９（ｄ）に示すように、所望する液体Ｗを液体容器３２に充填する。なお、再充填する場合、前回使用した液体と異なる液体を充填してもよい。その場合は、液体容器３２を洗浄した後に新たな液体を充填する。液体を充填した後、上記と逆の工程を行ってロール形ティッシュ容器を組み立てる。
【００６７】
なお、ロール形ティッシュを使い尽くした場合も、容器を分解して詰め替え用のロール形ティッシュを再装填できることは、従来と同じである。
【００６８】
以上に例として説明した本発明によるロール形ティッシュ容器、ロール形ティッシュ及びロール形ティッシュ製品は、多様な変形形態とすることが可能である。
【００６９】
例えば、第１の特徴である、ロール形ティッシュの径方向外側のティッシュ端部から外部にティッシュ材を取り出す構成は、従来の予め液体を含浸させてあるロール形ウェットティッシュに対しても適用可能である。その場合、ロール形ティッシュの中心軸を固定するために、スプレー容器に替えて、適宜の円筒形芯材を配置し、その円筒形芯材の頭部を蓋の裏面に係合固定することが好適である。
【００７０】
例えば、第２の特徴である、ロール形ティッシュ容器の容器本体内で乾燥状態のロール形ティッシュに対して液体を噴射し含浸させる構成は、従来の蓋中央に取出し口を設けたロール形ティッシュ容器に対しても適用可能である。その場合、スプレー容器の配置箇所は、容器本体内の中央以外の箇所、例えば周縁部や上方部とすればよい。
【符号の説明】
【００７１】
１：ロール形ティッシュ容器
１０：容器本体
１１：有底容器、１１ａ：接続固定部、１１ｂ：底壁、１１ｃ：周縁、１１ｄ：凹部
１２：蓋、１２ａ：上壁、１２ｂ：側壁、１２ｃ：取出し口、１２ｄ：カバー、１２ｅ：接続固定部
２１：ポンプ操作部材、２１ａ：押下面、２１ｃ：棒状部、２１ｃ：操作部
２２：ガイド部材
３０：スプレー容器
３１：ポンプ、３１ａ：ピストン頂部、３１ｂ：ピストンロッド、３１ｃ：ピストンヘッド、３１ｄ：吐出バルブ孔、３１ｅ：吐出バルブ球、３１ｆ：吐出流路、３１ｇ：噴射口、３１ｈ：弾性材上端支持部、３１ｉ：ピストン頂部上面、３１ｊ：シリンダ壁、３１ｋ：ピストン室隔壁、３１L：ピストン室、３１ｍ：弾性材室、３１ｎ：接続固定部、３１ｏ：吸引バルブ孔、３１ｐ：吸引バルブ球、３１ｑ：弾性材、３１ｒ：吸引チューブ
３２、３２Ａ：液体容器、３２ａ：接続固定部、３２ｂ：底面、３２ｃ：凸部、３２ｃ’：環状凸部
４０：回転支持部
４１：ターンテーブル支持部材
４２、４２Ａ：ターンテーブル、４２ａ：凹部、４２ｂ：凹部、４２ｃ：溝
４３：液体容器支持部材
５１：液体吸収材、５１ａ：端部
９０、９０Ａ：ロール形ティッシュ
９１：ティッシュ材、９１ａ：ティッシュ端部、９１ｂ：切離線
９２：ロール芯、９２ａ：凸部
Ｃ：中心軸
Ｓ：筒状空間
Ｗ：液体
【図１】
2014234217.tif 000003
【図２】
2014234217.tif 000004
【図３】
2014234217.tif 000005
【図４】
2014234217.tif 000006
【図５】
2014234217.tif 000007
【図６】
2014234217.tif 000008
【図７】
2014234217.tif 000009
【図８】
2014234217.tif 000010
【図９】
2014234217.tif 000011